(57)【要約】  【課題】炎天下での土木作業なとで衣服内への外部からの熱線流入を制御でき、かつ朝夕の温度変化に応じて遮熱性能と通気性をコントロールできる作業用上着を提供する。    【解決手段】作業用ブルゾン(１)の前身頃上半部分(３)・(４)及び後見頃部分(５)を丈夫なメッシュ素材(９)で構成するとともに、前後身頃下半部、両袖部(２)及び肩ヨーク部(６)を紫外線遮蔽効果を有する遮熱性布帛素材(８)で構成し、メッシュ素材(９)で形成した前後身頃部分(３)・(４)・(５)を覆うタープ材(７)を遮熱性布帛素材(８)で構成し、このタープ部材(８)を後身頃下半部分に展開可能に構成した。【選択図】    図１
2017222945.tif 000002
【特許請求の範囲】
【請求項１】
作業用ブルゾン(１)の前身頃上半部分(３)・(４)及び後見頃部分(５)を丈夫なメッシュ素材(９)で構成するとともに、前後身頃下半部、両袖部(２)及び肩ヨーク部(６)を紫外線遮蔽効果を有する遮熱性布帛素材(８)で構成し、同じく遮熱性布帛素材(８)で構成したタープ材(７)をメッシュ素材(９)で形成した前後身頃上半部分(３)・(４)・(５)を覆うように配置し、このタープ部材(７)を後身頃下半部分に収納展開可能に設置してある作業用遮熱ブルゾン。
【請求項２】
タープ部材(７)の後身頃側(５)の下端部を、後身頃下半部に遮熱性布帛素材(８)で形成した収納袋(10)の上端開口部の上縁部分に逢着するとともに、タープ部材(７)の前身頃側の先端部を遮熱性布帛素材(８)で形成されている前身頃部(３)・(４)の下半上縁部分に面ファスナー(12)で係着される請求項１に記載の作業用遮熱ブルゾン。
【請求項３】
遮熱性布帛素材(８)が紫外線遮蔽率９５％以上、ＵＰＦ値５０＋以上ある布帛素材である請求項１または２に記載の作業用遮熱ブルゾン。
【発明の詳細な説明】
【技術分野】
【０００１】
本発明は、着用者の上半身の表面にほぼ密着した状態で着用されるブルゾンに関し、特に炎天下の農作業や土木作業現場で作業する作業者が着用するのに好適なブルゾンに関する。
【背景技術】
【０００２】
近年、環境の変化により猛暑が続く日が多くなり、炎天下の作業現場における作業者の外部からの熱線や衣服内温度上昇による熱中症の危険性が懸念される。
【０００３】
このため、猛暑日の朝夕や日中などでの環境の変化に対応できる作業用上着が切望されている。
【０００４】
しかし、現状では、猛暑日の朝夕や日中などでの環境の変化に対応できるブルゾン型の作業用上衣は提供されていない。
【発明の概要】
【発明が解決しようとする課題】
【０００５】
本発明は、このような要望に応えるため、着用者の上半身表面に密着する状態で着用される作業性に優れたブルゾン型作業服でありながら、炎天下での土木作業などで衣服内への外部からの熱線流入を制御でき、かつ朝夕の温度変化に応じて遮熱性能と通気性をコントロールできる作業用ブルゾン型上着を提供することを目的とする。
【課題を解決するための手段】
【０００６】
上述の目的を達成するために、請求項１に記載の本発明は、ブルゾン型作業服の前身頃上半部分及び後見頃部分を丈夫なメッシュ素材で構成するとともに、前後身頃下半部、両袖部及び肩ヨーク部を紫外線遮蔽効果を有する遮熱性布帛素材で構成し、同じく遮熱性布帛素材で構成したタープ材をメッシュ素材で形成した前後身頃上半部分を覆うように配置し、このタープ部材を後身頃下半部分に収納展開可能に設置してあること特徴としている。
【０００７】
請求項２に記載の本発明は、請求項１の構成に加えて、タープ部材の後身頃側の下端部を、後身頃下半部に遮熱性布帛素材で形成した収納袋の上端開口部の上縁部分に逢着するとともに、タープ部材の前身頃側の先端部を遮熱性布帛素材で形成されている前身頃下半部の上縁部分に面ファスナーで係着されることを特徴としている。
【０００８】
請求項３に記載の本発明は、請求項１または請求項２の構成に加えて、遮熱性布帛素材が紫外線遮蔽率９５％以上、ＵＰＦ値５０＋以上の紫外線遮蔽効果を持つ布帛素材であることを特徴としている。
【発明の効果】
【０００９】
本発明では、着用者の上半身表面に太陽光(紫外線)を遮蔽する素材を使用していることから、猛暑の日中は太陽光が衣服内に侵入することを制限して太陽光による衣服内温度の上昇を抑制し、朝夕はタープ部分を肩から外して、後身頃下半部に遮熱性布帛素材で形成した収納袋に収納することで高い通気性を確保することができ、衣服内通気を活発化して、衣服内環境の改善を図ることができる。
【００１０】
また、肩部から後身頃袖付け部までのメッシュ素材に袖を縫い合わせた場合には、背中部分の柔軟性が確保され、動きやすく作業性に優れることとなる。
【図面の簡単な説明】
【００１１】
【図１】タープを展開した状態での本発明の一実施形態を示し、図１(Ａ)は正面図、図１(Ｂ)は背面図である。
【図２】図１に示す実施形態でのタープ片の取り出し図である。
【図３】タープを収納した状態での本発明の一実施形態を示し、図３(Ａ)は正面図、図３(Ｂ)は背面図である。
【発明を実施するための形態】
【００１２】
この作業用ブルゾン(１)は、袖部(２)と、左右前身頃部(３)・(４)と、後身頃部分(５)と、肩ヨーク部分(６)とタープ部分(７)とで構成してある。このうち、袖部(２)、左右前身頃部(３)・(４)、肩ヨーク部分(６)、タープ部分(７)は後述する遮熱性布帛素材(８)で形成してある。左右前身頃(３)(４)の上胸部分から肩部にかけての部分、および後身頃部(５)はメッシュ素材(９)で形成してある。
【００１３】
メッシュ素材(９)で形成されている後身頃部分(５)の下半部を覆う状態で遮熱性布帛素材(８)が配置してあり、メッシュ素材(９)とこれをカバーする遮熱性布帛素材(８)とで収納袋(10)を構成している。この収納袋(10)の上縁開口部は、スライド式ファスナー(11)で開閉可能に構成してある。
【００１４】
タープ部分(７)は、図２に示すように、上部が襟ぐりに合わせた略Ｕ字状をなしており、下縁部は前記収納袋(10)の外面を構成している遮熱性布帛素材(８)の内面側上縁に逢着してあり、折り畳んだ状態でタープ部分(７)が収納袋(10)に収納できるように形成してある。
【００１５】
タープ部分(７)の略Ｕ字状をなしている上部は、肩ヨーク部分(６)を形成ししている遮熱性布帛素材(８)と左右前身頃(３)(４)の上胸部分から肩部にかけての部分を構成しているメッシュ素材(９)との間に挿入可能となっており、遮熱性布帛素材(８)で構成されている左右前身頃(３)(４)の上縁部の内側部分にタープ部分(７)の上端部分がそれぞれ面ファスナー(12a)(12b)で離脱可能に止着できるようにしてある。また、後身頃側においても、肩ヨーク部分(６)の後身頃側下縁部に面ファスナー(13)により離脱可能に止着できるようにしてある。
【００１６】
タープ部分(７)を展開装着する場合は、後身頃部分(５)の下半部に形成した収納袋(10)から折畳み収納されているタープ部分(７)を引き出して、略Ｕ字状をなしているタープ部分(７)の上部を肩ヨーク部分(６)を構成している遮熱性布帛素材(８)と後身頃肩部及び左右前身頃(３)(４)の上胸部分を構成しているメッシュ素材(９)との間に挿入してタープ部分(７)の上端(先端)部分を左右前身頃(３)(４)の上縁部の内側部分に面ファスナー(12a)(12b)で止着するとともに、身頃側においても肩ヨーク部分(６)の後身頃側下縁部に面ファスナー(13)で止着する。これにより、タープ部分(７)を展開装着した場合には、肩ヨーク部(６)は二重に遮熱性布帛素材(８)で蔽われることになるから、日中などの日の高い時間帯での作業時に肩部分からの入熱を大きく抑制できることなる。
【００１７】
一方、タープ部分(７)を折畳収納した場合には、後身頃部分(５)及び前身頃上部がメッシュ素材(９)で構成されることとになるから、風通しがよくなり、朝夕の作業時には、快適な衣服内作業環境を生み出すことができる。
【００１８】
尚、上記実施形態で使用している遮熱性布帛素材(８)としては、紫外線遮蔽率９５％以上、ＵＰＦ値５０＋以上の紫外線遮蔽効果を持つ布帛素材が好ましい。
【産業上の利用可能性】
【００１９】
作業用遮熱ブルゾンは、炎天下の農作業や土木作業現場で作業する作業者に好適である。
【符号の説明】
【００２０】
１…作業用ブルゾン、２…ブルゾンの袖部、３・４…ブルゾンの前身頃上半部分、５…ブルゾンの後見頃部分、６…ブルゾンの肩ヨーク部、８…遮熱性布帛素材、９…メッシュ素材、10…収納袋、12・13…面ファスナー。
【図１】
2017222945.tif 000003
【図２】
2017222945.tif 000004
【図３】
2017222945.tif 000005